(57)【要約】【課題】ネットワーク上の記憶装置に所定のデータを簡易に登録できるデータ登録システムを提供することである。【解決手段】利用者端末１から電子メールが送られると、登録サーバ２のエージェント部２１は、ヘッダ部の“Ｓｕｂｊｅｃｔ”の文字列を検証し、データ登録を要求するものであるか否かを判別する。そして、データ登録を要求するものである場合に、メールＤＢ２２の管理テーブルを参照して、利用者の認証を行った後に、電子メールをメールＤＢ２２に格納させる。登録・検索部２３は、メールＤＢ２２に格納された電子メールを読み出し、“Ｓｕｂｊｅｃｔ”の文字列に従って、対象となるデータを記憶装置２４に登録する。その際、情報処理サーバ３への処理が要求されている場合に、登録・検索部２３は、情報処理サーバ３に処理を依頼し、その処理結果を記憶装置２４に登録する。【選択図】  図１
2004185549.tif 000002
【特許請求の範囲】
【請求項１】
登録サーバと利用者端末とがネットワークを介して接続されたデータ登録システムであって、
前記利用者端末は、
特定フォーマットに従ったデータ列を含む電文を、前記登録サーバに向けて送信する送信手段と、を備え、
前記登録サーバは、
所定のデータを記憶させるための記憶手段と、
前記利用者端末から送られる電文を受信する受信手段と、
前記受信手段により受信された電文に含まれるデータ列が、特定フォーマットに合致することを検証する検証手段と、
前記検証手段によりデータ列が検証された場合に、検証されたデータ列に従って、対象データを前記記憶手段に登録するデータ登録手段と、を備える、
ことを特徴とするデータ登録システム。
【請求項２】
前記データ登録手段は、
電文に含まれるデータ列から、登録要求の内容を解析する解析手段と、
前記解析手段により解析された登録要求の内容が、他のサーバへの処理を要求するものである場合に、該当する他のサーバに向けて処理要求し、応答する処理結果を取得する処理結果取得手段と、を備え、
前記データ登録手段は、前記処理結果取得手段が処理結果を取得した場合に、取得した処理結果を前記記憶手段に登録する、
ことを特徴とする請求項１に記載のデータ登録システム。
【請求項３】
記憶装置を有する登録サーバと利用者端末とがネットワークを介して接続されたデータ登録システムであって、
前記利用者端末は、
特定フォーマットに従った文字列を含む電子メールを生成する生成手段と、
前記生成手段が生成した電子メールを前記登録サーバに向けて送信する送信手段と、を備え、
前記登録サーバは、
前記利用者端末から送られる電子メールを受信する受信手段と、
前記受信手段により受信された電子メールに含まれる文字列が、特定フォーマットに合致することを検証する検証手段と、
前記受信手段により受信された電子メールが、予め定められた送信元から送信されたことを認証する認証手段と、
前記検証手段により文字列が検証され、かつ、前記認証手段により送信元が認証された場合に、電子メールに含まれる文字列に従って、対象データを前記記憶装置に登録するデータ登録手段と、を備える、
ことを特徴とするデータ登録システム。
【請求項４】
前記データ登録手段は、
電子メールに含まれる文字列から、登録要求の内容を解析する解析手段と、
前記解析手段により解析された登録要求の内容が、他のサーバへの処理を要求するものである場合に、該当する他のサーバに向けて処理要求を送信する処理要求送信手段と、
前記処理要求送信手段が送信した処理要求に応答して、他のサーバから送られる処理結果を受信する処理結果受信手段と、を備え、
前記データ登録手段は、前記処理結果受信手段が処理結果を受信した場合に、受信した処理結果を前記記憶装置に登録する、
ことを特徴とする請求項３に記載のデータ登録システム。
【請求項５】
ネットワークを介して利用者端末と接続された登録サーバであって、
所定のデータを記憶させるための記憶手段と、
前記利用者端末から送られる、特定フォーマットに従ったデータ列を含む電文を受信する受信手段と、
前記受信手段により受信された電文に含まれるデータ列が、特定フォーマットに合致することを検証する検証手段と、
前記受信手段により受信された電文が、予め定められた送信元から送信されたことを認証する認証手段と、
前記検証手段によりデータ列が検証され、かつ、前記認証手段により送信元が認証された場合に、電文に含まれるデータ列に従って、対象データを前記記憶手段に登録するデータ登録手段と、
を備えることを特徴とする登録サーバ。
【請求項６】
前記データ登録手段は、
電文に含まれるデータ列から、登録要求の内容を解析する解析手段と、
前記解析手段により解析された登録要求の内容が、他のサーバへの処理を要求するものである場合に、該当する他のサーバに向けて処理要求を送信する処理要求送信手段と、
前記処理要求送信手段が送信した処理要求に応答して、他のサーバから送られる処理結果を受信する処理結果受信手段と、を備え、
前記データ登録手段は、前記処理結果受信手段が処理結果を受信した場合に、受信した処理結果を前記記憶手段に登録する、
ことを特徴とする請求項５に記載の登録サーバ。
【請求項７】
記憶装置を有する登録サーバと利用者端末とがネットワークを介して接続されたシステムにおけるデータ登録方法であって、
利用者端末から、特定フォーマットに従った文字列を含む電子メールを生成し、生成した電子メールを登録サーバに向けて送信する送信ステップと、
登録サーバにおいて、前記送信ステップにて送られる電子メールを受信する受信ステップと、
前記受信ステップにて受信された電子メールに含まれる文字列が、特定フォーマットに合致することを検証する検証ステップと、
前記受信ステップにて受信された電子メールが、予め定められた送信元から送信されたことを認証する認証ステップと、
前記検証ステップにて文字列が検証され、かつ、前記認証ステップにて送信元が認証された場合に、電子メールに含まれる文字列に従って、対象データを記憶装置に登録するデータ登録ステップと、
を備えることを特徴とするデータ登録方法。
【請求項８】
前記データ登録ステップは、
電子メールに含まれる文字列から、登録要求の内容を解析する解析ステップと、
前記解析ステップにて解析された登録要求の内容が、他のサーバへの処理を要求するものである場合に、該当する他のサーバに向けて処理要求を送信する処理要求送信ステップと、
前記処理要求送信ステップにて送信した処理要求に応答して、他のサーバから送られる処理結果を受信する処理結果受信ステップと、を備え、
前記データ登録ステップは、前記処理結果受信ステップにて処理結果を受信した場合に、受信した処理結果を記憶装置に登録する、
ことを特徴とする請求項７に記載のデータ登録方法。
【発明の詳細な説明】
【０００１】
【発明の属する技術分野】
この発明は、ネットワーク上の記憶装置に所定のデータを簡易に登録することのできるデータ登録システム、登録サーバおよびデータ登録方法に関する。
【０００２】
【従来の技術】
近年、インターネット等のネットワーク技術が発展し、そして、広く普及して来ている。そして、利用者は、インターネットに接続可能な端末を操作して、インターネット上に公開されている様々な情報を閲覧でき、また、他の利用者との間で電子メールをやり取りすることもできる。
この他にも利用者は、インターネット上のサーバ（記憶装置）に種々のデータを登録することもできる。例えば、グループウェアにおけるスケジュールデータを登録したり、プロジェクト管理における作業進捗データを登録したり、又は、電子キャビネット（共有フォルダ等）に文書データや画像データを登録するような場合である。
【０００３】
一例として、サーバ（記憶装置）に、スケジュールデータを登録する場合について説明する。
利用者は、インターネットに接続可能な端末を操作して、グループウェアが実行されているサーバにアクセスする。そして、利用者は、サーバからの要求に従って、ユーザＩＤ及びパスワードを端末に入力する。
ユーザ認証が完了すると、利用者は、端末に表示される入力エリアに、任意のスケジュールデータ（例えば、日付、開始時間、終了時間、場所及び、内容等）を入力し、その登録を指示する。そして、登録が完了した旨のメッセージが端末に表示されるのを確認し、利用者は、スケジュールデータの登録を終える。
【０００４】
この他にも、効率的なスケジュールを組むことができるスケジュール調整装置の技術も開示されている（例えば、特許文献１参照）。
【０００５】
【特許文献１】
特開２００２−２９７８４９号公報  （第３−８頁、第１図）
【０００６】
【発明が解決しようとする課題】
上述したように、インターネット上のサーバ（記憶装置）にデータを登録する場合には、事前にユーザ認証が必須であり、利用者は、ユーザＩＤ及びパスワード等を入力する必要があった。このような入力操作は、ユーザ認証の度に必要であるため、煩雑に感じる利用者も多かった。
また、利用者によっては、他のサーバにアクセスして所定の処理を実行させ、その処理結果をサーバ（記憶装置）に登録するという作業を行っている場合もある。この場合、利用者が端末を操作して、それぞれのサーバにアクセスし、データを登録する必要があるため、極めて煩雑であった。
【０００７】
この発明は、上記実状に鑑みてなされたもので、ネットワーク上の記憶装置に所定のデータを簡易に登録することのできるデータ登録システム、登録サーバおよびデータ登録方法を提供することを目的とする。
【０００８】
【課題を解決するための手段】
上記目的を達成するため、本発明の第１の観点に係るデータ登録システムは、登録サーバと利用者端末とがネットワークを介して接続されたデータ登録システムであって、
前記利用者端末は、
特定フォーマットに従ったデータ列を含む電文を、前記登録サーバに向けて送信する送信手段と、を備え、
前記登録サーバは、
所定のデータを記憶させるための記憶手段と、
前記利用者端末から送られる電文を受信する受信手段と、
前記受信手段により受信された電文に含まれるデータ列が、特定フォーマットに合致することを検証する検証手段と、
前記検証手段によりデータ列が検証された場合に、検証されたデータ列に従って、対象データを前記記憶手段に登録するデータ登録手段と、を備える、
ことを特徴とする。
【０００９】
この発明によれば、利用者端末において、送信手段は、特定フォーマットに従ったデータ列を含む電文（例えば、“Ｓｕｂｊｅｃｔ”に特定フォーマットの文字列をセットした電子メール）を、ネットワークを介して登録サーバに向けて送信する。一方の登録サーバにおいて、受信手段は、利用者端末から送られる電文を受信し、検証手段は、受信手段により受信された電文に含まれるデータ列が、特定フォーマットに合致することを検証する。そして、データ登録手段は、検証手段によりデータ列が検証された場合に、検証されたデータ列に従って、対象データを記憶手段に登録する。この結果、ネットワーク上の記憶装置（記憶手段）に所定のデータを簡易に登録することができる。
【００１０】
前記データ登録手段は、
電文に含まれるデータ列から、登録要求の内容を解析する解析手段と、
前記解析手段により解析された登録要求の内容が、他のサーバへの処理を要求するものである場合に、該当する他のサーバに向けて処理要求し、応答する処理結果を取得する処理結果取得手段と、を備え、
前記データ登録手段は、前記処理結果取得手段が処理結果を取得した場合に、取得した処理結果を前記記憶手段に登録してもよい。
【００１１】
上記目的を達成するため、本発明の第２の観点に係るデータ登録システムは、記憶装置を有する登録サーバと利用者端末とがネットワークを介して接続されたデータ登録システムであって、
前記利用者端末は、
特定フォーマットに従った文字列を含む電子メールを生成する生成手段と、
前記生成手段が生成した電子メールを前記登録サーバに向けて送信する送信手段と、を備え、
前記登録サーバは、
前記利用者端末から送られる電子メールを受信する受信手段と、
前記受信手段により受信された電子メールに含まれる文字列が、特定フォーマットに合致することを検証する検証手段と、
前記受信手段により受信された電子メールが、予め定められた送信元から送信されたことを認証する認証手段と、
前記検証手段により文字列が検証され、かつ、前記認証手段により送信元が認証された場合に、電子メールに含まれる文字列に従って、対象データを前記記憶装置に登録するデータ登録手段と、を備える、
ことを特徴とする。
【００１２】
この発明によれば、利用者端末において、生成手段は、特定フォーマットに従った文字列を含む電子メール（例えば、“Ｓｕｂｊｅｃｔ”に特定フォーマットの文字列をセットした電子メール）を生成し、送信手段は、生成手段が生成した電子メールをネットワークを介して登録サーバに向けて送信する。一方の登録サーバにおいて、受信手段は、利用者端末から送られる電子メールを受信し、検証手段は、受信手段により受信された電子メールに含まれる文字列が、特定フォーマットに合致することを検証し、認証手段は、受信手段により受信された電子メールが、予め定められた送信元から送信されたことを認証する。そして、データ登録手段は、検証手段により文字列が検証され、かつ、認証手段により送信元が認証された場合に、電子メールに含まれる文字列に従って、対象データを記憶装置に登録する。この結果、ネットワーク上の記憶装置に所定のデータを簡易に登録することができる。
【００１３】
前記データ登録手段は、
電子メールに含まれる文字列から、登録要求の内容を解析する解析手段と、
前記解析手段により解析された登録要求の内容が、他のサーバへの処理を要求するものである場合に、該当する他のサーバに向けて処理要求を送信する処理要求送信手段と、
前記処理要求送信手段が送信した処理要求に応答して、他のサーバから送られる処理結果を受信する処理結果受信手段と、を備え、
前記データ登録手段は、前記処理結果受信手段が処理結果を受信した場合に、受信した処理結果を前記記憶装置に登録してもよい。
【００１４】
上記目的を達成するため、本発明の第３の観点に係る登録サーバは、
ネットワークを介して利用者端末と接続された登録サーバであって、
所定のデータを記憶させるための記憶手段と、
前記利用者端末から送られる、特定フォーマットに従ったデータ列を含む電文を受信する受信手段と、
前記受信手段により受信された電文に含まれるデータ列が、特定フォーマットに合致することを検証する検証手段と、
前記受信手段により受信された電文が、予め定められた送信元から送信されたことを認証する認証手段と、
前記検証手段によりデータ列が検証され、かつ、前記認証手段により送信元が認証された場合に、電文に含まれるデータ列に従って、対象データを前記記憶手段に登録するデータ登録手段と、
を備えることを特徴とする。
【００１５】
この発明によれば、受信手段は、利用者端末から送られる、特定フォーマットに従ったデータ列を含む電文（例えば、“Ｓｕｂｊｅｃｔ”に特定フォーマットの文字列をセットした電子メール）を、ネットワークを介して受信する。検証手段は、受信手段により受信された電文に含まれるデータ列が、特定フォーマットに合致することを検証し、認証手段は、受信手段により受信された電文が、予め定められた送信元から送信されたことを認証する。そして、データ登録手段は、検証手段によりデータ列が検証され、かつ、認証手段により送信元が認証された場合に、電文に含まれるデータ列に従って、対象データを記憶手段に登録する。この結果、ネットワーク上の記憶装置（記憶手段）に所定のデータを簡易に登録することができる。
【００１６】
前記データ登録手段は、
電文に含まれるデータ列から、登録要求の内容を解析する解析手段と、
前記解析手段により解析された登録要求の内容が、他のサーバへの処理を要求するものである場合に、該当する他のサーバに向けて処理要求を送信する処理要求送信手段と、
前記処理要求送信手段が送信した処理要求に応答して、他のサーバから送られる処理結果を受信する処理結果受信手段と、を備え、
前記データ登録手段は、前記処理結果受信手段が処理結果を受信した場合に、受信した処理結果を前記記憶手段に登録してもよい。
【００１７】
上記目的を達成するため、本発明の第４の観点に係るデータ登録方法は、
記憶装置を有する登録サーバと利用者端末とがネットワークを介して接続されたシステムにおけるデータ登録方法であって、
利用者端末から、特定フォーマットに従った文字列を含む電子メールを生成し、生成した電子メールを登録サーバに向けて送信する送信ステップと、
登録サーバにおいて、前記送信ステップにて送られる電子メールを受信する受信ステップと、
前記受信ステップにて受信された電子メールに含まれる文字列が、特定フォーマットに合致することを検証する検証ステップと、
前記受信ステップにて受信された電子メールが、予め定められた送信元から送信されたことを認証する認証ステップと、
前記検証ステップにて文字列が検証され、かつ、前記認証ステップにて送信元が認証された場合に、電子メールに含まれる文字列に従って、対象データを記憶装置に登録するデータ登録ステップと、
を備えることを特徴とする。
【００１８】
この発明によれば、送信ステップは、利用者端末から、特定フォーマットに従った文字列を含む電子メール（例えば、“Ｓｕｂｊｅｃｔ”に特定フォーマットの文字列をセットした電子メール）を生成し、生成した電子メールをネットワークを介して登録サーバに向けて送信する。受信ステップは、登録サーバにおいて、前記送信ステップにて送られる電子メールを受信する。検証ステップは、受信ステップにて受信された電子メールに含まれる文字列が、特定フォーマットに合致することを検証し、認証ステップは、受信ステップにて受信された電子メールが、予め定められた送信元から送信されたことを認証する。そして、データ登録ステップは、検証ステップにて文字列が検証され、かつ、認証ステップにて送信元が認証された場合に、電子メールに含まれる文字列に従って、対象データを記憶装置に登録する。この結果、ネットワーク上の記憶装置に所定のデータを簡易に登録することができる。
【００１９】
前記データ登録ステップは、
電子メールに含まれる文字列から、登録要求の内容を解析する解析ステップと、
前記解析ステップにて解析された登録要求の内容が、他のサーバへの処理を要求するものである場合に、該当する他のサーバに向けて処理要求を送信する処理要求送信ステップと、
前記処理要求送信ステップにて送信した処理要求に応答して、他のサーバから送られる処理結果を受信する処理結果受信ステップと、を備え、
前記データ登録ステップは、前記処理結果受信ステップにて処理結果を受信した場合に、受信した処理結果を記憶装置に登録してもよい。
【００２０】
【発明の実施の形態】
本発明の実施の形態にかかるデータ登録システムについて、以下図面を参照して説明する。
【００２１】
図１は、この発明の実施の形態に適用されるデータ登録システムの構成の一例を示すブロック図である。図示するように、データ登録システムは、利用者端末１と、登録サーバ２と、情報処理サーバ３とが、インターネット９を介して接続されて構成される。
【００２２】
利用者端末１は、電子メールを送受信可能な情報端末であり、例えば、パーソナルコンピュータ、携帯電話機、又は、ＰＤＡ（Ｐｅｒｓｏｎａｌ  Ｄｉｇｉｔａｌ  Ａｓｓｉｓｔａｎｔｓ）等からなる。利用者端末１は、利用者による操作に従って、特定フォーマットに従った電子メールを生成し、生成した電子メールをインターネット９を介して登録サーバ２に向けて送信する。
具体的に、利用者端末１は、電子メールを生成する際に、ヘッダ部の“Ｓｕｂｊｅｃｔ”（Ｓｕｂｊｅｃｔフィールド；件名欄）に、図２（ａ）に示すようなフォーマットに従った文字列をセットする。より具体的には、図２（ｂ），（ｃ）に示すような文字列をセットする。
ここで、図２（ａ）に示す「制御文字」には、登録サーバ２への通常登録を示す制御文字（一例として、半角文字「Ａ」）や、情報処理サーバ３への処理依頼を示す制御文字（一例として、半角文字「Ｂ」）等がセットされる。
また、図中の「ＳＰ」は、半角スペースを示している。
なお、図２（ａ）等に示すフォーマットは、登録サーバ２にスケジュールデータを登録する場合の一例であり、他のデータを登録する場合には、対応した別のフォーマットとなる。
【００２３】
図１に戻って、登録サーバ２は、例えば、パーソナルコンピュータ又はワークステーション等からなり、利用者端末１から送られる電子メールを受信し、電子メールにおける特定フォーマットの文字列に従って、データの登録等を行う。
具体的に、登録サーバ２は、エージェント部２１と、メールＤＢ２２と、登録・検索部２３と、記憶装置２４と、を含んで構成される。
【００２４】
エージェント部２１は、利用者端末１から送られる電子メールを受信し、受信した電子メールがデータ登録を要求するものであるか否かを判別する。
例えば、エージェント部２１は、電子メールのヘッダ部の“Ｓｕｂｊｅｃｔ”にセットされている文字列が、図２（ａ）に示すフォーマットに合致している場合に、データ登録を要求する電子メールであると判別する。
そして、データ登録を要求する電子メールであると判別すると、エージェント部２１は、メールＤＢ２２（後述する管理テーブル）を参照し、電子メールを送信した利用者（送信元）の認証等を行った後に、その電子メールをメールＤＢ２２に格納させる。
【００２５】
メールＤＢ（データベース）２２は、登録サーバ２を利用することのできる利用者（正当利用者）を管理するための情報を記憶すると共に、データ登録を要求する電子メール（正当利用者から送られたもの）を格納する。
例えば、メールＤＢ２２は、図３に示すような管理テーブルを記憶する。この管理テーブルは、利用者ＩＤに対応して、正当利用者のメールアドレスが規定されている。この管理テーブルは、エージェント部２１に参照され、電子メールが正当利用者から送られたものであるか否かが判別される。
そして、正当利用者からの電子メールであると判別されると、エージェント部２１は、その電子メールをメールＤＢ２２に格納させる。このように格納された電子メールは、登録・検索部２３により適宜読み出される。
【００２６】
登録・検索部２３は、メールＤＢ２２に格納された電子メール（データ登録を要求するもの）を読み出し、ヘッダ部の“Ｓｕｂｊｅｃｔ”にセットされた文字列に従って、対象となるデータを記憶装置２４に登録する。
例えば、図２（ｂ）に示すような、文字列がセットされている場合に、登録・検索部２３は、制御文字が「Ａ」（通常登録を示す制御文字）であるため、「２００２／１１／１８」（年月日）〜「販売戦略会議」（予定内容）のデータを、記憶装置２４に登録する。
また、図２（ｃ）に示すような、文字列がセットされている場合に、登録・検索部２３は、制御文字が「Ｂ」（処理依頼を示す制御文字）であるため、「２００２／１１／２２」（年月日）〜「新製品発表会」（予定内容）のデータ（予約依頼情報）を情報処理サーバ３に送信し、情報処理サーバ３からの処理結果を、記憶装置２４に登録する。
なお、この他にも登録・検索部２３は、利用者端末１から、登録内容の照会が要求された際に、記憶装置２４を検索して、登録されている利用者のデータを利用者端末１に返信する。
【００２７】
記憶装置２４は、例えば、所定容量のハードディスクユニット等からなり、登録・検索部２３から供給されたデータを記憶する。また、利用者端末１から、登録内容の照会が要求され、登録・検索部２３により登録内容の検索がなされると、対象のデータを適宜読み出して、登録・検索部２３に出力する。
【００２８】
情報処理サーバ３は、所定の情報処理を行うコンピュータ又はワークステーション等からなり、登録サーバ２（登録・検索部２３）から送られた情報を処理し、処理結果を登録サーバ２に返信する。
一例として、情報処理サーバ３は、施設の予約管理を行うサーバからなり、登録サーバ２（登録・検索部２３）から送られた予約処理を依頼する情報（予約依頼情報）を受信すると、施設利用のための予約処理を行い、その処理結果を登録サーバ２に返信する。
【００２９】
以下、この発明の形態にかかるデータ登録システムの動作について、図面を参照して説明する。
具体的に、利用者端末１を操作する利用者が、登録サーバ２（記憶装置２４）にスケジュールデータを登録する場合について、図４を参照して説明する。図４は、利用者端末１が実行するメール送信処理及び、登録サーバ２が実行するデータ登録処理を説明するためのフローチャートである。
なお、登録サーバ２において、例えば、所定のグループウェア（アプリケーションプログラム）が実行されており、利用者端末１からの電子メールの送信に応答して、データ登録処理が開始されるものとする。
【００３０】
まず、利用者端末１は、利用者の操作に従って、データ登録を要求するための電子メールを生成する（ステップＳ１１）。
例えば、利用者端末１は、図２（ａ）に示すような、特定フォーマットの文字列を“Ｓｕｂｊｅｃｔ”にセットした電子メールを生成する。つまり、電子メールの“Ｓｕｂｊｅｃｔ”には、制御文字、年月日、開始時間、終了時間、場所情報、及び、予定内容が、それぞれ半角スペースで区切られてセットされる。より具体的には、図２（ｂ），（ｃ）に示すような文字列が“Ｓｕｂｊｅｃｔ”にセットされ、電子メールが生成される。
【００３１】
利用者端末１は、利用者の操作に従って、生成した電子メールを登録サーバ２に向けて送信する（ステップＳ１２）。つまり、利用者端末１は、スケジュールデータの登録を要求するために、ステップＳ１１にて生成した電子メールを、インターネット９を介して登録サーバ２に送信する。
【００３２】
これに対して、登録サーバ２は、利用者端末１から送られた電子メールを受信し、“Ｓｕｂｊｅｃｔ”にセットされている文字列を検証する（ステップＳ２１）。つまり、エージェント部２１は、“Ｓｕｂｊｅｃｔ”の文字列を図２（ａ）に示すフォーマットと比較して、データ登録を要求する電子メールであるか否かを検証する。なお、検証により、データ登録を要求する電子メールでない（通常の電子メールである）と判別すると、エージェント部２１は、通常通り電子メールの受信処理を行う。
そして、データ登録を要求する電子メールであると判別した場合に、エージェント部２１は、メールＤＢ２２の管理テーブルを参照し、送信元を検証する（ステップＳ２２）。具体的にエージェント部２１は、電子メールのヘッダ情報から送信元を示すメールアドレスを抽出し、そのメールアドレスと図３に示す管理テーブルとを比較して、電子メールの送信元を検証する。
【００３３】
この検証結果に従って、エージェント部２１は、送信元が正当利用者であるか否かを判別する（ステップＳ２３）。つまり、エージェント部２１は、図３に示す管理テーブルに同一のメールアドレスが含まれている場合にだけ、送信元が正当利用者であると判別する。
【００３４】
エージェント部２１は、送信元が正当利用者でないと判別すると、電子メールを受信できないことを示すエラーメール（受信拒否の電子メール）を生成して、送信元に向けて返信する（ステップＳ２４）。
一方、正当利用者である判別した場合に、エージェント部２１は、受信した電子メールをメールＤＢ２２に格納する（ステップＳ２５）。
【００３５】
そして、登録・検索部２３は、メールＤＢ２２からデータ登録を要求する電子メールを読み出し、“Ｓｕｂｊｅｃｔ”にセットされた文字列を解析する（ステップＳ２６）。つまり、登録・検索部２３は、図２（ａ）に示すフォーマットの「制御文字」が、登録サーバ２への通常登録を示す「Ａ」や、情報処理サーバ３への処理依頼を示す「Ｂ」となっているか等を解析する。
この解析結果に従って、登録・検索部２３は、情報処理サーバ３への処理依頼があるか否かを判別する（ステップＳ２７）。つまり、登録・検索部２３は、図２（ｃ）に示すように、「制御文字」が「Ｂ」である場合に、情報処理サーバ３への処理依頼があると判別する。
【００３６】
登録・検索部２３は、処理依頼がないと判別すると、後述するステップＳ３２に処理を進める。
一方、処理依頼があると判別すると、登録・検索部２３は、処理依頼情報を生成し、情報処理サーバ３に向けて送信する（ステップＳ２８）。つまり、登録・検索部２３は、施設の予約処理を依頼するための予約依頼情報を生成し、情報処理サーバ３に送信する。
そして、登録・検索部２３は、処理結果を情報処理サーバ３から受信する（ステップＳ２９）。つまり、登録・検索部２３は、予約依頼情報に従って予約処理を行った情報処理サーバ３の処理結果を情報処理サーバ３から受信する。
登録・検索部２３は、受信した処理結果に従って、情報処理サーバ３での予約が成立したか否かを判別する（ステップＳ３０）。
【００３７】
登録・検索部２３は、予約が成立しなかったと判別すると、予約が成立しなかったことを示すエラーメール（予約不成立の電子メール）を生成して、利用者端末１（送信元）に向けて返信する（ステップＳ３１）。
一方、情報処理サーバ３にて予約が成立したと判別した場合（又は、ステップＳ２７にて処理依頼がなかったと判別した場合）に、登録・検索部２３は、記憶装置２４にデータを登録し、登録が完了したことを示す正常メール（登録完了の電子メール）を生成して利用者端末１（送信元）に向けて返信する（ステップＳ３２）。
すなわち、登録・検索部２３は、処理依頼がなかった場合に、“Ｓｕｂｊｅｃｔ”にセットされた文字列に従って、スケジュールデータを記憶装置２４に登録し、また、処理依頼があり、情報処理サーバ３にて予約が成立した場合に、処理結果に従ったスケジュールデータを記憶装置２４に登録する。そして、登録完了の電子メールを利用者端末１に向けて返信する。
【００３８】
そして、利用者端末１は、登録サーバ２から送られた電子メールを受信する（ステップＳ１３）。受信した電子メールの内容は、表示部等に表示され、利用者が、登録サーバ２におけるデータの登録結果等を確認できる。
【００３９】
このように、上述のメール送信処理及び、データ登録処理により、インターネット９上の登録サーバ２（記憶装置２４）に対して、データの登録を簡易に行うことができる。
すなわち、利用者端末１から特定フォーマットの電子メールを登録サーバ２に送信することにより、登録サーバ２にて電子メールの検証・解析等が行われて、記憶装置２４にデータの登録を行うことができる。
その際、メールＤＢ２２に管理テーブルを設定し、正当利用者の判別を行うことにより、対話型のユーザ認証を省略することができる。
更に、文字列の内容が情報処理サーバ３への処理を要求している場合には、登録サーバ２から情報処理サーバ３に対して処理を依頼し、情報処理サーバ３における処理結果を記憶装置２４に登録することができる。つまり、登録サーバ２を介して情報処理サーバ３に処理依頼でき、その処理結果を登録サーバ２に登録することができる。
【００４０】
この結果、ネットワーク上の記憶装置に所定のデータを簡易に登録することができる。
【００４１】
上記の実施の形態では、図２に示すようなフォーマットの文字列を、電子メールの“Ｓｕｂｊｅｃｔ”にセットする場合について説明したが、文字列をセットする箇所は、“Ｓｕｂｊｅｃｔ”に限定されず、本文内にセットしてもよい。
また、“Ｓｕｂｊｅｃｔ”に制御文字だけをセットし、本文内に残りの文字列（登録対象のデータ等）をセットしてもよい。
更に、登録対象のデータ等を電子メールに添付するようにしてもよい。
【００４２】
また、上記の実施の形態では、情報処理サーバ３が施設の予約処理を行う場合について説明したが、情報処理サーバ３が実行する処理内容は任意である。
例えば、情報処理サーバ３は、鉄道や航空機の予約処理等を行ってもよく、また、病院や診療所の予約処理等を行ってもよい。
【００４３】
また、上記の実施の形態では、正当利用者を認証するために、図３に示す管理テーブルに規定されたメールアドレスを使用したが、正当利用者を認証するための手法は任意である。
例えば、電子メールに利用者ＩＤ及びパスワード等をセットするようにし、正当利用者を認証してもよい。
また、情報処理サーバ３へのアクセスに、利用者ＩＤ及びパスワード等が必要な場合には、登録サーバ２側で利用者ＩＤ及びパスワード等を自動的に取得し、情報処理サーバ３に処理依頼できるようにしてもよい。
【００４４】
【発明の効果】
以上説明したように、本発明によれば、ネットワーク上の記憶装置に所定のデータを簡易に登録することができる。
【図面の簡単な説明】
【図１】本発明の実施の形態に係るデータ登録システムの構成の一例を示すブロック図である。
【図２】（ａ）が電子メールの“Ｓｕｂｊｅｃｔ”にセットされる文字列のフォーマットの一例を示す模式図であり、（ｂ），（ｃ）がその具体的な一例を示す模式図である。
【図３】メールＤＢに予め記憶される管理テーブルの一例を示す模式図である。
【図４】本発明の実施の形態に係る電子メール送信処理及び、データ登録処理を説明するためのフローチャートである。
【符号の説明】
１    利用者端末
２    登録サーバ
２１  エージェント部
２２  メールＤＢ
２３  登録・検索部
２４  記憶装置
３    情報処理サーバ
９    インターネット
【図１】
2004185549.tif 000003
【図２】
2004185549.tif 000004
【図３】
2004185549.tif 000005
【図４】
2004185549.tif 000006